(57)【要約】締結装置のダイカートリッジは、複数のダイを受け入れるように構成されたキャビティを画定する本体と；キャビティに受け入れられたダイが、キャビティから取り外され得る開口部と；締結装置のダイチェンジャの相補的係合部と係合するように構成された係合部と、を含む。【選択図】図１
2020523202.tif 000002
【特許請求の範囲】
【請求項１】
締結装置のダイカートリッジであって：
複数のダイを受け入れるように構成されたキャビティを画定する本体と；
前記キャビティに受け入れられたダイが、当該キャビティから取り外され得る開口部と；
締結装置のダイチェンジャの相補的係合部と係合するように構成された係合部と、を含む、締結装置のダイカートリッジ。
【請求項２】
前記キャビティに受け入れられた任意のダイを、前記開口部に向けて付勢するように構成された付勢部材を含む、請求項１に記載のカートリッジ。
【請求項３】
前記キャビティ内に少なくとも部分的に配置されたプラットフォームを含み、前記付勢部材が当該プラットフォームと接触し、当該プラットフォームが前記キャビティに受け入れられたダイと接触するように構成されており、前記付勢部材が、当該プラットフォームを介して、前記キャビティに受け入れられた任意のダイを前記開口部に向けて付勢するように構成されている、請求項２に記載のカートリッジ。
【請求項４】
前記キャビティが、同一タイプの複数のダイを受け入れるように構成されている、請求項１〜３のいずれか一項に記載のカートリッジ。
【請求項５】
前記カートリッジが、第１および第２の別個の部分から形成され、当該第１の部分が前記本体を含み、当該第２の部分が前記係合部を含む、請求項１〜４のいずれか一項に記載のカートリッジ。
【請求項６】
前記第１の部分が第１のインターロック部を含み、前記第２の部分が第２のインターロック部を含み、当該第１および第２のインターロック部が協働して前記第１および第２の部分を一緒に固定し、前記第１のインターロック部は、それぞれ異なる構成が特定のタイプのダイに対応する、複数の異なる構成から選択された構成を有し、前記複数の異なる構成から選択された前記構成が、前記キャビティに受け入れられる前記特定のタイプのダイに対応している、請求項５に記載のカートリッジ。
【請求項７】
前記カートリッジが、前記開口部に隣接して配置されたクランプ機構をさらに含み、当該クランプ機構は、クランプ部材が前記開口部に隣接する前記キャビティ内に配置されたダイと係合して、当該ダイおよび前記キャビティ内の任意の別のダイが前記開口部を介して前記キャビティから出ることを実質的に防止するクランプ構成と；前記クランプ部材が前記ダイと係合せず、当該ダイが前記開口部を介して前記キャビティから出ることを可能にするオープン構成と、の間を移動可能である、請求項１〜６のいずれか一項に記載のカートリッジ。
【請求項８】
前記クランプ機構が前記締結装置の一部と係合するように構成されており、当該締結装置の一部は、前記クランプ機構を前記クランプ構成と前記オープン構成との間で移動させることができる、請求項７に記載のカートリッジ。
【請求項９】
後退位置と配備位置との間を移動可能であるガイド部材を含み、当該ガイド部材は、前記開口部に隣接して前記キャビティの外側に配置されており、前記開口部を介して前記キャビティを出るダイをガイドするように構成されている、請求項１〜８のいずれか一項に記載のカートリッジ。
【請求項１０】
前記ガイド部材を前記後退位置から前記配備位置に付勢するために、当該ガイド部材に接触するガイド付勢部材をさらに含む、請求項９に記載のカートリッジ。
【請求項１１】
保持構成と解放構成との間を移動するように構成された保持部をさらに含み、前記保持構成では、前記付勢部材を付勢状態に保持し、当該付勢部材が前記キャビティ内に配置された任意のダイに力を加えることを実質的に防ぐように、前記保持部が、前記本体の一部と前記付勢部材との間に機械的に連結され、前記解放構成では、前記付勢部材を付勢状態に保持せず、当該付勢部材が前記キャビティ内に配置された任意のダイに力を加えられるように、前記保持部が、前記本体の一部と前記付勢部材とを機械的に連結しない、請求項２〜１０のいずれか一項に記載のカートリッジ。
【請求項１２】
前記キャビティ内を前記開口部に向かうダイの移動を可能にし、かつ前記開口部から離れる当該ダイの移動を実施的に防止するように構成されたラチェット機構をさらに含む、請求項１〜１１のいずれか一項に記載のカートリッジ。
【請求項１３】
前記ラチェット機構は、少なくとも一部が前記キャビティ内に配置されたプラットフォーム部材をさらに含み、当該プラットフォーム部材は、前記キャビティに受け入れられたダイと接触するように構成されており、当該プラットフォーム部材が第１のラチェット部を含み、前記カートリッジの前記本体が対応する第２のラチェット部を含み、前記プラットフォーム部材が第１の方向に移動して前記キャビティ内に配置されたダイを前記開口部に向かって移動させる場合、前記第１および第２のラチェット部は、互いに対して通過し、前記プラットフォーム部材の前記本体に対する移動を可能にし、前記プラットフォーム部材が前記第１の方向とは反対向きに移動する場合、前記第１および第２のラチェット部は、互いに係合し、前記プラットフォーム部材の前記本体に対する移動を制限する、請求項１２に記載のカートリッジ。
【請求項１４】
前記プラットフォームおよびプラットフォーム部材が同一である、請求項３に間接的に従属する場合の請求項１３に記載のカートリッジ。
【請求項１５】
少なくとも２枚の材料を一緒に固定する方法であって：
締結装置が、請求項１〜１４のいずれか一項に記載のダイカートリッジからダイを取得するステップと；
前記少なくとも２枚の材料を介して締結具を挿入するステップと；
ダイが前記締結具に力を加えて当該締結具を変形させ、それによって少なくとも２枚の材料を一緒に固定するステップと、を含む方法。
【請求項１６】
物品の製造方法であって、請求項１５に記載の、少なくとも２枚の材料を一緒に固定することを含む方法。
【発明の詳細な説明】
【技術分野】
【０００１】
本発明は、カートリッジまたはカートリッジアセンブリに関し、特には、締結装置の一部を形成し得るカートリッジまたはカートリッジアセンブリに関する。この締結装置は、自己穿孔リベット（self-piercing rivets）を利用するリベットセッタであり得る。本発明はまた、関連する方法にも関する。
【背景技術】
【０００２】
ワークピースの２つ以上の部分（例えば、２枚以上のシート）を固定するために使用される、多くの既知のタイプの締結具がある。このような既知の締結具の１つのグループは、次のように機能する。締結具サポートをワークピースの下に配置し、締結具および締結具挿入デバイスを、締結具サポートおよびワークピースの両方の上に配置する。締結具挿入デバイスが締結具に力を加え、それにより、締結具がワークピースを通って締結具サポートに向かって駆動される。いくつかの例では、締結具サポートは、締結具挿入デバイスによって締結具に加えられた力の結果として、該締結具に反力を及ぼすことができる。締結具に作用する力により締結具が変形し、それにより、ワークピースの２つ以上の部分が固定される。
【０００３】
そのような締結具の例には、リベット、機械式スタッドおよび他のタイプの締結デバイスが含まれる。既知のリベットのあるタイプは、自己穿孔リベットである。そのようなリベットを適切な接着剤などと組み合わせて使用することは、溶接が実用的ではない産業において広く普及している。そのような産業には、アルミニウム部品を使用する産業が含まれる。そのような産業の一例は、少なくとも１枚のアルミニウムシートを含む金属シートのスタックを互いに固定する必要がある、自動車産業である。
【０００４】
上述したように、既知の締結装置は、締結具サポートと、締結具挿入デバイスと、を含む。締結具挿入デバイスは、リベットがリベット保管場所からその中に渡され、該リベットがそこからパンチによってワークピースに挿入される、ノーズアセンブリを含み得る。締結具サポートは、ワークピースの下に配置され、リベットがワークピースに挿入されたときにリベットを据え込むように構成された、アプセットダイ（据え込み用の型）を含む。アプセットダイの体積および形状は、リベットがパンチによってワークピースに挿入されたときに該リベットが所望の形状をとるように、望ましい程度の据え込みを提供するように選択される。
【０００５】
異なるタイプのリベット（すなわち、異なる形状、寸法および／または材料などを有するリベット）をノーズアセンブリに供給することを可能にする供給装置は、既に知られている。様々なワークピースを締結すること、あるいは様々な締結要件を有するワークピース上の様々な場所（例えば、ワークピース／ワークピースの部分を形成するシートの数が異なる場所、ワークピース／ワークピースの部分の材料タイプの組み合わせおよび／またはシートの厚さが異なる場所、および／または（上述したように）異なるタイプのリベットを使用する必要がある場所）を固定することが望ましい場合、アプセットダイを取り外して、それを、異なるリベットおよび／または関係するワークピース／ワークピースの部分の特性により適した異なる体積および／または形状を有する、異なるアプセットダイと交換することがしばしば必要である。
【０００６】
締結装置のダイを取り外して交換するためのダイチェンジャは、既に知られている。そのようなダイチェンジャの使用は、比較的非効率である。ダイチェンジャの効率を改善し、それによって締結装置の動作中における整備ダウンタイムおよび／または潜在期間を短縮するためになし得ることはすべて有利である。
【０００７】
本明細書で説明されているか否かに関わらず、既知のダイチェンジャに関連する問題の少なくとも１つを軽減する装置および方法を提供することが好ましい。
【発明の概要】
【０００８】
本発明の第１の態様によれば、締結装置のダイカートリッジが提供される。当該ダイカートリッジは、複数のダイを受け入れるように構成されたキャビティを画定する本体と；キャビティに受け入れられたダイが、当該キャビティから取り外され得る開口部と；締結装置のダイチェンジャの相補的係合部と係合するように構成された係合部と、を含む。
【０００９】
当該カートリッジは、複数のダイを締結装置に提供する効率的な方法を提供する。
【００１０】
キャビティに受け入れられたダイが当該キャビティから取り外され得る開口部を含むカートリッジ、と言われる場合、必要なのは、キャビティ内に配置されたダイが開口部から取り外されることであることは明らかである。ダイをキャビティに挿入するためには、ダイを取り外す前に、当該ダイを、開口部を介して、または別のルート（例えば、カートリッジの取り外し可能な基部）を介して挿入することができる。
【００１１】
カートリッジは、キャビティに受け入れられた任意のダイを、開口部に向けて付勢するように構成された付勢部材を含み得る。これにより、キャビティ内に含まれるダイをカートリッジから容易に取り外すことができる。
【００１２】
カートリッジは、キャビティ内に少なくとも部分的に配置されたプラットフォームを含み得る。付勢部材は、プラットフォームと接触していてもよく、プラットフォームは、キャビティに受け入れられたダイと接触するように構成されていてもよく、付勢部材は、ラットフォームを介して、キャビティに受け入れられた任意のダイを開口部に向けて付勢するように構成されている。プラットフォームは、付勢部材によって及ぼされる力を、より均一に加える方法を提供する。
【００１３】
キャビティは、同一タイプの複数のダイを受け入れるように構成され得る。
【００１４】
カートリッジは、第１および第２の別個の部分から形成され、第１の部分が本体を含み、第２の部分が係合部を含む。カートリッジが補充されるとき、第２の部分は締結装置に固定されたままで、第１の部分だけが交換されるように、該第２の部分は、締結装置の一部に固定されていてもよい。
【００１５】
第１の部分は第１のインターロック部を含むことができ、第２の部分は第２のインターロック部を含むことができ、当該第１および第２のインターロック部が協働して第１および第２の部分を一緒に固定し、第１のインターロック部は、それぞれ異なる構成が特定のタイプのダイに対応する、複数の異なる構成から選択された構成を有することができ、該複数の異なる構成から選択された構成が、第１の部分のキャビティに受け入れられるダイの特定のタイプに対応している。
【００１６】
同様に、第２のインターロック部は、それぞれ異なる構成が特定のタイプのダイに対応する、複数の異なる構成から選択された構成を有することができ、該複数の異なる構成から選択された構成が、第２の部分が固定されることが望まれる第１の部分のキャビティに受け入れられた特定のタイプのダイに対応している。換言すれば、特定のタイプのダイが特定のカートリッジの一部を形成することが望ましい場合がある。この状況では、第２のインターロック部は、所望の特定のタイプのダイのための第１のインターロック部の構成を補完する構成を有することになる。
【００１７】
カートリッジは、クランプ機構をさらに含み得る。クランプ機構は、開口部に隣接して配置され得る。クランプ機構は、クランプ部材が開口部に隣接するキャビティ内に配置されたダイと係合して、当該ダイおよびキャビティ内の任意の別のダイが開口部を介してキャビティから出ることを実質的に防止するクランプ構成と；クランプ部材がダイと係合せず、当該ダイが開口部を介してキャビティから出ることを可能にするオープン構成と、の間を移動可能であり得る。
【００１８】
クランプ機構は、締結装置の一部と係合するように構成され得る。締結装置の当該一部は、クランプ機構をクランプ構成とオープン構成との間で移動させることができる。
【００１９】
カートリッジは、後退位置と配備位置との間を移動可能であるガイド部材を含み得る。ガイド部材は、開口部に隣接してキャビティの外側に配置されている。ガイド部材は、開口部を介してキャビティを出るダイをガイドするように構成され得る。
【００２０】
カートリッジは、ガイド部材を後退位置から配備位置に付勢するために、該ガイド部材に接触するガイド付勢部材をさらに含み得る。
【００２１】
カートリッジは、保持部をさらに含み得る。保持部は、保持構成と解放構成との間を移動するように構成され得る。保持構成では、付勢部材を付勢状態に保持し、当該付勢部材がキャビティ内に配置された任意のダイに力を加えるのを実質的に防止するように、保持部が、本体の一部と付勢部材との間に機械的に連結され得る。解放構成では、付勢部材を付勢状態に保持せず、当該付勢部材がキャビティ内に配置された任意のダイに力を加えられるように、保持部が、本体の一部と付勢部材とを機械的に連結し得ない。
【００２２】
カートリッジは、キャビティ内を開口部に向かうダイの移動を可能にし、かつ開口部から離れる当該ダイの移動を実施的に防止するように構成されたラチェット機構をさらに含み得る。
【００２３】
ラチェット機構は、少なくとも一部がキャビティ内に配置されたプラットフォーム部材をさらに含み、当該プラットフォーム部材は、キャビティに受け入れられたダイと接触するように構成され得る。プラットフォーム部材が第１のラチェット部を含み、カートリッジの本体が対応する第２のラチェット部を含み、プラットフォーム部材が第１の方向に移動してキャビティ内に配置されたダイを開口部に向かって移動させる場合、第１および第２のラチェット部は、互いに対して通過し、プラットフォーム部材の本体に対する移動を可能にし、プラットフォーム部材が第１の方向とは反対向きに移動する場合、第１および第２のラチェット部は、互いに係合し、プラットフォーム部材の本体に対する移動を制限する。
【００２４】
プラットフォームおよびプラットフォーム部材は同一であってもよい。
【００２５】
係合部を本体に接合する、カートリッジの脆弱部分が提供されてもよい。
【００２６】
本発明の第２の態様によれば、少なくとも２枚の材料を一緒に固定する方法が提供される。当該方法は：締結装置が、本発明の第１の態様によるダイカートリッジからダイを取得するステップと；少なくとも２枚の材料を介して締結具を挿入するステップと；ダイが締結具に力を加えて当該締結具を変形させ、それによって少なくとも２枚の材料を一緒に固定するステップと、を含む。
【００２７】
本発明の第３の態様によれば、物品の製造方法が提供される。当該方法は：本発明の第２の態様による、少なくとも２枚の材料を一緒に固定することを含む。
【００２８】
適切である場合、本発明の態様の１つに関して上述した任意の特徴のいずれもが、本発明の別の態様のいずれにも等しく適用され得ることが理解されるであろう。
【００２９】
ここで、本発明の特定の実施形態を、添付の図面を参照して、ほんの一例として説明する。
【図面の簡単な説明】
【００３０】
【図１】本発明の一実施形態による、カートリッジアセンブリの斜視図である。
【図２】図１に示すカートリッジアセンブリの断面図である。
【図３】カートリッジアセンブリの第１および第２の部分が分離している、図１に示すカートリッジアセンブリの別の斜視図である。
【図３ａ】図１のカートリッジの一部を形成し得る、図３ｂとは異なるタイプの第２のカートリッジ部の斜視図である。
【図３ｂ】図１のカートリッジの一部を形成し得る、図３ａとは異なるタイプの第２のカートリッジ部の斜視図である。
【図４】カートリッジアセンブリが締結装置の一部を形成している、図１のカートリッジアセンブリの斜視図である。
【図５】クランプ配置が顕著に見える、図１に示すカートリッジの一部の断面図である。
【図６】ラチェット機能が顕著に見える、図１に示すカートリッジの一部の断面図である。
【発明を実施するための形態】
【００３１】
簡潔性のために、本発明は、自己穿孔リベットセッタのダイ用のカートリッジまたはカートリッジ機構に関連して説明されているが、本発明は、締結具サポートが、定期的に交換されなければならない部分を含んでいるあらゆる締結装置に等しく適用可能であることが理解されるであろう。その定期的に交換される複数の部分は、本発明によるカートリッジまたはカートリッジ機構によって保持され得る。
【００３２】
図１は、本発明の一実施形態による、カートリッジアセンブリ（またはカートリッジ）１０の斜視図を示す。カートリッジ１０は、本明細書でより詳細に後述するように、締結装置の一部を形成することができる。カートリッジ１０は、複数のダイ１２を含む完全な構成で図１に示されている。カートリッジ１０は、中央の長手方向軸Ａに沿って延び、一端が基部２８によって閉じられている、ほぼ円筒形の壁から形成された本体１４を含む。本体１４は、複数のダイ１２を受け入れるように構成された、ほぼ円筒形のキャビティ１６を画定している。
【００３３】
カートリッジ１０は、キャビティ１６内に配置されたダイ１２が、該キャビティ１６から、したがって該カートリッジ１０から取り外され得る開口部１８も含む。カートリッジ１０は、締結装置のダイチェンジャの相補的な係合部と係合するように構成された係合部２０をさらに含む。そのような一例は、カートリッジを第１のダイサポート６２に固定するように、係合部２０がダイチェンジャの第１のダイサポート６２と係合し得るものである。そのような構成は、本出願と出願日を同じくして本出願人によって出願された、ダイチェンジャに関する同時出願の英国特許出願で議論されている。可能な管轄区域では、ダイチェンジャおよび付属のカートリッジに関する同時出願の英国特許出願の内容は、参照により本明細書に組み込まれる。
【００３４】
本実施形態は、カートリッジ１０の本体１４にいくつかの窓２２を含む。窓２２は、（開口部１８を介するもの以外で）キャビティ１６への視線を提供し、該キャビティ内のダイ１２の有無（または、実際に存在するダイの数）をユーザが容易に判断することを可能にする。これにより、ユーザは、カートリッジが満杯であるか、それとも空であるか、および／またはキャビティ内にいくつのダイが存在するのかを容易に判断することができる。本実施形態では、複数の窓２２が示されているが、本発明の別の実施形態では、任意の適切な数（例えば、１つまたは複数）の窓が設けられ得ることが理解されよう。これらの窓は、カートリッジの本体上で、任意の適切な形状または位置を有することができる。複数の窓がある状況では、それらの窓がすべて同一の形状および（角度または軸方向）位置を有していてもよく、あるいは各窓の形状および／または位置が異なっていてもよい。
【００３５】
一実施形態では、窓は、ダイが開口部１８を介してキャビティを出る直前に当該ダイが占めるキャビティ１６内の位置に、本体１４の壁を通して視線が届くことを可能にする、本体上の位置に設けられ得る。このようにして、１つまたは複数の窓２２のいずれからもダイ１２が見えない場合、これはカートリッジ１０（特には、キャビティ１６）が空であることを示す。あるいは、またはさらに、カートリッジには、該カートリッジ（特には、キャビティ）が完全に満たされている場合（すなわち、カートリッジからダイが１つも取り外されていない場合）に、開口部１８から最も遠いダイが占める位置に視線が届くように配置された、１つまたは複数の窓が設けられていてもよい。このようにして、ユーザは、カートリッジがダイで完全に満たされているか否かを判断することができる。
【００３６】
ここで、図１のカートリッジの断面図を示す図２を参照すると、カートリッジ１０は、プラットフォーム２６を含み、該プラットフォーム２６は、軸Ａに垂直なほぼ円形の断面を有し、ほぼ円筒形のキャビティ１６内に相補的に嵌合するようにサイズ決めされている。プラットフォーム２６は、キャビティ１６内を軸方向に移動できるように該キャビティ１６内に取り付けられている。プラットフォーム２６は、任意の適切な方法で、キャビティ内を軸方向に移動するように取り付けられ得る。例えば、一実施形態では、プラットフォームは、１つまたは複数の半径方向に突出するタブ２７を含んでいてもよく、該タブ２７は、各々が、本体１４の円筒形壁の半径方向最内側の、軸方向に延びる対応するチャネル２９に受け入れられている。図示の実施形態において、タブ２７は、プラットフォーム２６の本体２６ｂから下垂する、軸方向に延びる一対の脚部２６ａに設けられている。付勢部材２４（例えば、圧縮ばね）は、キャビティ１６内に配置されたダイ１２を開口部１８に向けて付勢するように構成されている。これを行うために、付勢部材は、プラットフォーム２６と本体１４の基部２８との間に配置されている。本体の基部２８は、付勢部材の中心を軸Ａ上に合わせるのに役立つボス２８ａを含む。付勢部材２４は、プラットフォーム２６（したがって、プラットフォーム２６によって支持されたダイ１２）を開口部１８に向けて付勢する。本実施形態において、付勢部材は、ダイ１２を軸方向に（プラットフォーム２６を介して）開口部１８に向けて付勢する。
【００３７】
上述したように、プラットフォーム２６はキャビティ１６内に配置されており、付勢部材２４はプラットフォーム２６に接触している。プラットフォーム２６は、キャビティ１６に受け入れられたダイ１２と接触するように構成されているため、付勢部材２４は、プラットフォーム２６を介して、キャビティ１６内に配置されたダイを開口部１８に向けて付勢するように構成されている。本実施形態において、プラットフォーム２６の本体２６ｂの上面は、環状溝３１を含む。環状溝は、キャビティ１６に受け入れられたダイ（プラットフォームに最も近接するダイ）のステム１２ａを受け入れるようなサイズおよび形状である。これは、キャビティに受け入れられたダイをプラットフォーム上で中心合わせするのに役立ち、したがって、ばね２４によってダイに加えられる力が比較的均一になることを確実にし、それによってダイがキャビティ内で詰まる可能性を低減するのに役立つ。プラットフォーム２６の本体２６ｂの下側は、２本の脚部と組み合わせて、ばね２４を収容するのに役立ち、ばね２４を中心合わせして、該ばねが本体の下側を動き回ることができないようにしていることも見てとれる。繰り返すが、これは、ばね２４によってダイに加えられる力を比較的均一にすることを確実にし、それによってダイがキャビティ内で詰まる可能性を低減するのに役立つ。別の実施形態では、プラットフォームの任意の適切な構成を使用してもよい。
【００３８】
本実施形態では、キャビティ１８に受け入れられたダイ１２は、すべて同一のタイプである。このように、カートリッジ１０は、単一の特定のタイプのダイを含むカートリッジである。別の実施形態では、そうである必要はない。
【００３９】
図３は、先の図に示されたカートリッジ１０の概略的な斜視分解図である。カートリッジは、第１の部分３０と、別個の第２の部分３２と、から形成される。第１の部分３０は本体１４を含み、第２の部分３２は係合部２０を含む。第１および第２の部分３０，３２は、インターロック３４によって一緒に保持されている。インターロック３４は、第１の部分３０の一部を形成する第１のインターロック部３５と、第２の部分３２の一部を形成する第２のインターロック部３６と、を含む。特に、本実施形態では、第１のインターロック部３５はバヨネットラグを含み、第２のインターロック部３６は対応するバヨネット開口部３６を含み、これらは既知のバヨネット固定方法で協働し、第１および第２の部分３０，３２を一緒に固定する。
【００４０】
本実施形態では、第１のインターロック部３５は、異なる構成のセットから選択された特定の構成を有し、セット内のそれぞれ異なる構成は、特定のタイプのダイに対応している。この場合、第１のインターロック部３５に選択された構成は、キャビティ１６に受け入れられるダイ１２の特定のタイプに対応する。すなわち、キャビティに受け入れられるダイのタイプが、本事例で受け入れられたダイ１２のタイプと異なる別の実施形態では、第１のインターロック部３５の構成は、本事例におけるセットとは異なる構成になるであろう。図３ａおよび３ｂは、異なるタイプのダイに対応する第２のインターロック部３６の、２つの特定の異なる構成を示している。
【００４１】
より詳細には、図３ａおよび３ｂは、第２のインターロック部の２つの異なるバージョンを示している。特に、図３ａは、第１のタイプの第２のインターロック部３６ａを含む、カートリッジの第２の部分３２を示し、図３ｂは、第２のタイプの第２のインターロック部３６ｂを含む、カートリッジの第２の部分３２を示している。第１のタイプの第２のインターロック部３６ａは、第１のタイプのダイ１２ｂに対応し、第２のカートリッジ部分３２の側面に単一のバヨネット開口部を含み；第２のタイプの第２のインターロック部３６ｂは、第２のタイプのダイ１２ｃに対応し、第２のカートリッジ部分３２の側面に２つのバヨネット開口部を含む。関連するダイ１２ｂ，１２ｃを含むカートリッジ本体は、関連する第２のインターロック部に対応するインターロック部を有する。特に、タイプ１２ｂのダイを含む本体の第１のインターロック部は、側面に単一のバヨネットラグを含み、タイプ１２ｃのダイを含む本体の第１のインターロック部は、側面に２つのバヨネットラグを含む。
【００４２】
上述の方法では、カートリッジが使用される締結装置のダイチェンジャ６２に固定され得る、該カートリッジの第２の部分３２の第２のインターロック部３６は、特定の所望のタイプのダイを含む、カートリッジの第１の部分３０の第１のインターロック部３５に正しく係合するためだけに設計された構成を有することができる。換言すると、不所望のタイプのダイを含むカートリッジの第１の部分３０は、カートリッジの第２の部分３２の第２のインターロック部３６と相補的でない構成の第１のインターロック部３５を有し、したがって、そのようなカートリッジの第１の部分は、カートリッジの第２の部分３２と正しく係合することができない。それにより、誤った第１の部分３０（したがって、誤ったダイ）が、第２の部分３２（したがって、第２の部分３２が取り付けられるダイチェンジャ）に取り付けられるのを防ぐ。
【００４３】
インターロックの２つの特定の例のセットについて上記で説明したが、別の実施形態では、インターロックまたはインターロック部の任意の適切な特定の構成を使用して、あるタイプのダイを含むカートリッジの第１の部分を、別のタイプのダイを含むカートリッジの第１の部分と区別することができることが理解されよう。さらに、第１および第２のインターロック部の構成のセットは、単一の部材または複数の部材など、任意の適切な数の部材を有することができる。
【００４４】
本実施形態では、第１の部分３０の第１のインターロック部がバヨネットラグを含み、第２の部分３２の第２のインターロック部がバヨネット開口部３６を含むが、別の実施形態では、第１および第２の部分におけるバヨネットラグおよびバヨネット開口部の位置は、交換／反転されていてもよい。あるいは、第１および第２の部分の第１のインターロック部および第２のインターロック部は、それぞれ第１および第２のインターロック部（したがって、第１および第２の部分３０，３２）を、取り外し可能または取り外し不能に互いに固定／連結できるようにする、任意の適切な構造を含んでいてもよい。
【００４５】
また、カートリッジに含まれる特定のタイプのダイに応じて異なる構成を有する、カートリッジの第１の部分の第１のインターロック部３５に関して先に説明したが、別の実施形態では、インターロック（したがって、インターロックの第１および第２の部分）は、カートリッジ内のダイのタイプに関係なく実質的に同じであり、代わりに、カートリッジの係合部２０が、カートリッジのキャビティ内に位置するダイのタイプに応じて異なる構成を有していてもよい。このようにして、カートリッジが使用される締結装置のダイチェンジャの係合部は、特定の所望のタイプのダイの係合部に対応する特定の構成を有するので、所望のタイプのダイを含み、所望のタイプのダイに対応する構成を有するカートリッジの係合部２０のみが、係合部２０に固定／連結できるようになる。このように、カートリッジと締結装置のダイチェンジャとの係合部の構成は、不所望のタイプのダイを含むカートリッジが、締結装置のダイチェンジャに連結されるのを防ぐようにすることができる。
【００４６】
図５に最もよく見られるように、カートリッジ１０は、クランプ機構３８をさらに含む。クランプ機構３８は、開口部１８に隣接して配置されている。特に、クランプ機構は、カートリッジの第２の部分３２の一部を形成し、作動部および複数のボールベアリング３９を含む。
【００４７】
クランプ機構は、クランプ構成とオープン構成との間で移動することができる。クランプ構成では、クランプ部材は、開口部１８に隣接するキャビティ１６内に配置されたダイ１２と係合して、キャビティ内の当該ダイおよび別のダイが、開口部１８を介してキャビティから出ていくのを実質的に防止する。特に、上述したように、ダイ１２は、付勢部材２４によって開口部１８に向けて付勢されている。その結果、クランプ部材なしには、ダイは、カートリッジ１０を出ていくように付勢部材によって付勢される。ダイは必要なときにだけカートリッジから解放されなければならないため、これは勿論望ましくない。
【００４８】
クランプ機構はまた、クランプ部材がダイと係合しないオープン構成を有する。この構成では、ダイは、開口部を通ってキャビティを出ることができる。クランプ機構がオープン構成になると、付勢部材２４は、ダイを開口部１８から押し出す。
【００４９】
この特徴は、カートリッジ内のダイをその場に留めておく場合のクランプ構成と、ダイチェンジャによってカートリッジからダイを取り出したい場合のオープン構成と、の間でクランプ機構を移動させるように、カートリッジが利用される締結装置のダイチェンジャがクランプ機構を選択的に作動または作動解除することを可能にし得る。この目的のために、締結装置の一部がクランプ機構をクランプ構成とオープン構成との間で移動させるように、クランプ機構は締結装置の一部と係合するように構成されている。特に、クランプ機構は、締結装置の当該一部と係合して当該一部によって作動される、作動部を含む。締結装置の当該一部は、作動部を非作動位置と作動位置との間で移動させることにより、クランプ機構をクランプ構成とオープン構成との間で移動させる。
【００５０】
引き続き図５を参照すると、本実施形態では、作動部は、軸方向に延びるいくつかの支持体４８がそこから下垂しているガイドプレート４４を含む。支持体４８は、カートリッジの係合部２０のカラー部分５２に設けられた、対応する、軸方向に延びる、角度的に間隔をあけたボア５０に受け入れられている。支持体４８の各々は、直径が減少するテーパ部分４８ａを有する。各支持体４８に関連しているのは、関連する軸方向のボア５０と交差する、半径方向のボア４９である。ボールベアリング３９は、各半径方向ボア４９内に受け入れられて、関連する支持体４８と、開口部１８に隣接して位置する半径方向ボア４９の縮径部４９ａと、の間に保持されている。動作中、クランプ機構３８は、クランプ構成とオープン構成との間を移動可能である。クランプ構成（図５に示す）では、クランプ部材は、開口部１８に隣接してキャビティ１６内に配置されたダイ１２と係合し、当該ダイおよびキャビティ内の任意の別のダイが開口部１８を介してキャビティから出ていくのを実質的に防止する。本実施形態では、クランプ部材は、ボールベアリング３９の各々の形態をとっている。作動部は、弾性付勢部材５４によって、クランプ構成になるように付勢される。作動部がこの位置にあるとき、各支持体４８の完全な直径部分は、各半径方向ボア４９内に位置している。これにより、ボールベアリング３９がそれぞれのボア４９に沿って半径方向内側に付勢されて、ボールベアリング３９はダイ１２に係合する。
【００５１】
本実施形態において、クランプ機構３８をオープン構成に移動させるには、作動部を、ばね５４の作用に抗して、ガイドプレート４４がカラー５２に接触するまで、（図の向きに関して）軸方向下側に移動させる。この位置では、図面には示されていないが、各支持体４８のテーパ部分４８ａが半径方向ボア４９内に受け入れられ、したがって各ボールベアリングは、テーパ部分４８ａによって各ボア４９内に作られた追加の空間内を、半径方向外側に自由に移動する。ボールベアリング３９が半径方向外側に移動できるということは、ボールベアリング３９がダイ１２に係合していないことを意味する。この文脈において、係合していないことには、ボールベアリングがダイに接触しているが、付勢部材２４の作用のもとでダイが開口部に向かって軸方向に移動するのを防ぐのに十分な力が加えられていないシナリオを含み得る。
【００５２】
カートリッジ１０は、ガイド部材４０をさらに含む。ガイド部材４０は、後退位置と、開口部１８に隣接するキャビティ１６の外側に位置する配備位置と、の間で移動可能である。ガイド部材４０は、開口部１８を介してキャビティ１６を出るダイ１２を誘導するように構成されている。特に、配備位置において、ガイド部材のガイド部分は、ダイが開口部を介してキャビティを出るときに、該ダイがガイド部分と接触できるように配置されている。これは、キャビティを出るときにダイが正しい方向に移動し、それによって開口部を介してキャビティを出るダイが誤った方向に出ていくことや、誤った向きで出てい行くことを防止するのを確実にするためである。このことは、カートリッジのキャビティを出るダイを、正しい向きで、かつ例えばダイチェンジャなどの締結装置の一部に対して正しい位置で受けなければならない場合に特に重要であり得る。
【００５３】
本実施形態において、ガイド部材４０のガイド部分は、ガイドプレート４４の開口部４６の壁および／または概して軸方向に延びる一対の脚部４２である。脚部４２は、軸Ａに対して直径方向に間隔をあけて配置されている。図では、脚部４２の１つが見えている。別の実施形態では、ダイが正しい方向に／向きで移動することを確実にするように、開口部を介してキャビティを出るダイに（例えば、接触することによって）力を加えることができる限り、ガイド部分の任意の適切な構成を使用することができる。
【００５４】
図示の実施形態において、ガイド部材４０は、軸Ａにほぼ垂直な平面にある、ほぼ環状のガイドプレート４４を含む。ガイドプレート４４は、ダイ１２がキャビティを出ると通過することができる、開口部４６を含む。ガイド部材４０は、開口部４６に隣接するようにガイドプレートからほぼ軸方向に下垂する一対のガイド脚部４２（説明済み）を含み、それによって、当該開口部４６を画定する円周面の少なくとも一部を画定している。さらに、ガイド部材は、ほぼ軸方向に延びる３つの支持体４８も含む。軸方向に延びる支持体４８は、軸Ａの周りに等角度間隔で配置された位置で、ガイドプレート４４から下垂している。支持体４８は、カートリッジの係合部２０のカラー部分５２に設けられた、対応する、軸方向に延びる、角度的に間隔をあけたボア５０に受け入れられ、
【００５５】
本実施形態において、ばねの形態である弾性付勢部材５４は、カラー５２と、ガイド部材４０のガイドプレート４４と、の間に受け入れられている。支持体４８は、カラー５２のボア５０を貫通して延びて、該カラーの反対側からガイドプレートが位置する側へ突出している。支持体４８とボア５０との協働により、ガイド部材４０は、カラー５０に対して、したがってカートリッジの係合部／本体部に対して軸方向に移動することができる。停止部５６は、支持体４８の１つの遠位（または自由）端部に配置されている。停止部５６は、関連する支持体が通過するボア５０のサイズよりも大きい。その結果、停止部５６は、ガイド部材４０およびカートリッジの残りの部分が分離するのを防ぐために、カラー５２から離れるガイド部材４４の動きを制限する。
【００５６】
本実施形態では、ガイド部材４０は、ガイドプレート４４がカラー５２にほぼ隣接して配置された後退位置、およびガイドプレートが所定の距離だけカラーから離間している（図示の）配備位置から、ほぼ軸方向に移動することができる。さらに、本実施形態では、ばね５４は、ガイド部材４０を後退位置から配備位置へと付勢する。
【００５７】
本実施形態では、ガイド部材のガイドプレート４４は、クランプ機構をクランプ構成とオープン構成との間で移動させるクランプ機構の作動部の一部である。別の実施形態では、ガイド部材と作動部とは別個の実体であってもよい。一体化されたガイド部材およびクランプ機構の利点は、ダイがキャビティを、したがってカートリッジを出るときに、該ダイの移動をより効果的に制御するためにそれらが協働できることである。
【００５８】
より具体的には、上述したように、妨害されていない状態では、カートリッジは、付勢部材がダイをキャビティの開口部に向けて付勢するようになっているが、しかしながら、クランプ機構がクランプ構成に付勢されているため、ダイは、キャビティから出られないように所定の位置にクランプされる。ダイをカートリッジから取り出すことが望まれる場合、締結装置の一部が移動してガイド部材のガイドプレートと接触する。締結装置の一部は、ガイド部材を配備位置から後退位置に移動させる。この文脈において、ガイド部材の配備位置は、クランプ機構のクランプ構成に対応し、ガイド部材の後退位置は、クランプ機構のオープン構成に対応する。このように、ガイド部材が配備位置から後退位置に移動すると、クランプ機構がクランプ構成からオープン構成に移動する。いったんオープン構成になると、キャビティ内のダイは、付勢部材の作用のもと開口部に向かって自由に移動する。移動してガイド部材と接触する締結装置の一部は、カートリッジからダイを取り外すためのダイ取り外し部分を含み得る。次に、開口部に最も近接するダイは、ダイ取り外し部分によってカートリッジから取り外され得る。ダイがカートリッジから取り外されると、締結装置の一部はカートリッジから離れるように移動する。これが起こると、ガイド部材は、ばね５４の作用のもと締結装置の一部をたどり、開口部から離れるように軸方向に移動する。このようにして、締結装置の一部によってダイがカートリッジから取り外され、開口部から遠ざかるにつれて、ガイド部材もまた開口部から遠ざかるように移動する。したがって、締結装置の一部によってダイがカートリッジから取り出されるときに、ガイド部材は、ダイの正しい向きおよび位置を維持することができる。締結装置の一部がカートリッジから十分に離れると、締結装置の一部は、もはやガイド部材のガイドプレートに接触しない。したがって、ガイド部材は配備位置にある。上述したように、これは、クランプ機構がクランプ構成にあること、したがってクランプ機構がキャビティ内のカートリッジに残っているダイをクランプしていることを意味している。カートリッジからさらなるダイを取り外すことが望まれる場合、上述の工程が繰り替えされる。すべてのダイがカートリッジから取り外されると、カートリッジは空になる。カートリッジは、必要に応じて、同様のカートリッジと交換することができる。
【００５９】
本発明によるカートリッジは、保持部をさらに含んでいてもよい。保持部は、付勢部材がキャビティ内に配置された任意のダイに力を加えることを防ぐために、したがって付勢部材がキャビティ内に配置されたダイをカートリッジの外に移動させることを防ぐために使用される。これは、ダイがカートリッジのキャビティにダイを装填するときに特に有益である。そのような保持部が存在せず、挿入されたダイに十分なグリップが維持されない場合、カートリッジを装填しているヒトまたは近くにいる他の人を負傷させるのに十分な力で、付勢部材の作用のもとでダイがキャビティから排出される可能性がある。
【００６０】
保持部は、保持構成と解放構成との間を移動するように構成されている。保持構成では、付勢部材を付勢状態に保持し、当該付勢部材がキャビティ内に配置された任意のダイに力を加えることを実質的に防ぐように、保持部が、本体の一部と付勢部材との間に機械的に連結されている。付勢状態とは、保持部の存在なしには、付勢部材がその形状を変化させて弛緩状態に戻ろうとする構成に該付勢部材が保持されていることを意味する。付勢部材の形状を変化させることは、キャビティ内に配置されたダイに力を加える付勢部材の潜在力を生じさせる。さらに、保持部が、本体の一部と付勢部材との間に機械的に連結されていると言われる場合、そのような機械的連結は、直接的であっても、あるいは間接的であってもよい。機械的連結が直接的である場合、保持部は、本体部の該一部および付勢部材と接触する。機械的連結が間接的である場合、本体の該一部および付勢部材は、保持部およびカートリッジの１つまたは複数の追加の部分を介して連結される。そのような間接的な機械的連結の一例は、保持部が、本体の該一部とカートリッジのプラットフォーム部材との間に延びている場合である。この状況では、保持部は、プラットフォーム部材を介して、本体の一部と付勢部材との間で機械的に連結されている。
【００６１】
解放構成では、保持部が付勢部材を付勢状態に保持しないように、保持部が、本体の該一部と付勢部材とを機械的に連結しない。このようにして、付勢部材は、キャビティ内に配置されたダイに力（すなわち、上述したように、ダイをカートリッジの開口部に向けて付勢し、したがってダイをカートリッジから出す力）を加えることができる。
【００６２】
本実施形態では、保持部は、カートリッジの本体１４の保持孔５９を貫通するピン５８（図４に破線で示される）の形態をとり得る。より詳細には、保持構成では、付勢部材を保持することが望まれる場合、プラットフォーム２６がキャビティ１６の基部に配置され、ピン５８が保持孔５９を通して挿入される。付勢部材の作用のもと、プラットフォーム２６は、ピン５８と接触するように促される。このように、ピン５８の形態の保持部は、付勢部材を付勢状態に保持し、また、付勢部材がキャビティ内に配置された任意のダイに力を加えるのを実質的に防ぐように、本体の一部（保持孔５９）と付勢部材との間に機械的に連結される。本体の一部（保持孔５８）と付勢部材とが、保持部５８およびプラットフォーム部材２６の形態のカートリッジの追加の一部を介して連結されている場合、機械的連結は間接的である。
【００６３】
保持部を解放構成に配置するためには、ピン５８がもはや本体の保持孔および付勢部材を機械的に連結しないように、したがって保持部が付勢部材を付勢状態に保持しないように、ピン５８を保持孔５９から取り外す。
【００６４】
本実施形態では、カートリッジは、さらなる保持部を含む。さらなる保持部は、さらなる保持孔５９を含む。使用中、さらなる保持部の一部として、タイ（不図示）をさらなる保持孔５９を通して挿入することができる。この配置では、タイは、最上部のダイに当接し、付勢部材２４の作用のもと、ダイがカートリッジの第１の部分の本体から出るのを防止する。したがって、この構成では、カートリッジの第１の部分は、ダイが排出されるリスクなしに、カートリッジの第２の部分とは別々に取り扱われ得る。カートリッジの第１の部分が該カートリッジの第２の部分に上述した方法でいったん固定されると、タイをさらなる保持孔から取り外して、クランプ機構によってダイをカートリッジ内に保持することができる。別の実施形態では、それが付勢部材２４の作用に反して、カートリッジの第１の部分にダイを選択的に保持することができる限り、保持部は任意の適切な形態をとり得る。
【００６５】
カートリッジ１０は、ラチェット機構６０をさらに含む。ラチェット機構６０は、キャビティ１６内を開口部１８に向かうダイの移動を可能にし、かつ開口部１８から離れる当該ダイの移動を実質的に防止するように構成されている。ラチェット機構は、図２の一部の概略図を示す図６に、符号６３で最もよく示されている。ラチェット機構を含むカートリッジの１つの利点は、ラチェット機構により、ダイをカートリッジのキャビティから排出できるが、カートリッジを最初に組み立てた後に該カートリッジのキャビティ内にダイを挿入できないことである。これの利点は、カートリッジを製造してから特定のタイプのダイを充填した場合、１つまたは複数の関連するダイがいったんカートリッジから取り外されると、該カートリッジに最初に装填したダイとは異なるタイプのダイであろう潜在的な可能性がある、別のダイを挿入することはできない。これにより、カートリッジ内のダイのタイプの潜在的な混入が防止され、このことは、所望のタイプのダイが締結装置に供給される唯一のタイプのダイであるように、カートリッジが特定の所望のタイプのダイだけを含むことが重要である状況で有益であり得る。
【００６６】
本実施形態の場合、ラチェット機構６０は、上述したように、少なくとも部分的にキャビティ１６内に位置するプラットフォーム２６を含む。繰り返しになるが、上述したように、プラットフォーム２６は、キャビティに受け入れられたダイと接触するように構成されている。プラットフォーム２６は、第１のラチェット部６２を含み、カートリッジ１０の本体１４は、対応する第２のラチェット部６４を含む。この場合、第１のラチェット部６２は、プラットフォームの半径方向外側表面に位置する歯止めの形態をとる。特に、歯止めは、プラットフォーム２６の脚部２６ａから突出するタブ２７によって形成されている。歯止めは、一般に鋸歯状の特徴を有する。第２のラチェット部６４は、カートリッジ１０の一般に円筒形の本体１４の半径方向内側表面上に配置されている。第２のラチェット部６４は、一般に鋸歯状波の断面を有する機構の形態をとる。第２のラチェット部６４の鋸歯状波断面および第１のラチェット部６２の鋸歯は、互いに対して、かつカートリッジに対して方向付けられている。これは、プラットフォーム２６がキャビティの開口部に向かって方向Ｂに移動するとき、第１のラチェット部の鋸歯の傾斜面６２ａが、第２のラチェット部の鋸歯波の傾斜面６４ａを乗り越えるようにするためである。逆に、プラットフォームをキャビティの開口部から離れる方向Ｃに移動させようとすると、第１のラチェット部の鋸歯のほぼ半径方向に延びる部分６２ｂが、第２のラチェット部の鋸歯波の歯の１つのほぼ半径方向に延びる表面６４ｂと当接する。それにより、キャビティの開口部から離れる方向Ｃへの、カートリッジの本体に対するプラットフォームの移動を防止する。
【００６７】
このようにして、プラットフォーム部材が第１の方向とは反対の方向Ｃ（例えば、キャビティの開口部から離れる軸方向）に移動する場合、第１および第２のラチェット部６２，６４は互いに係合して、本体に対するプラットフォームの移動を制限する（また、特には、カートリッジの本体の開口部から離れる軸方向Ｃにおける、本体に対するプラットフォーム部材の移動を制限する）。
【００６８】
現在説明している実施形態では、キャビティ内のダイを該キャビティから押し出すように付勢部材２４によって作用されるプラットフォーム２６は、ラチェット機構６２の第１のラチェット部を含むプラットフォームと同じである。しかしながら、別の実施形態では、第１のラチェット部を含むプラットフォームと、付勢部材によって付勢されるプラットフォームと、が別個の実体であってもよいことが理解されよう。さらに、いくつかの実施形態では、ラチェット部がプラットフォームを必要としない場合がある。ラチェット機構に必要なのは、キャビティ内のダイの開口部への移動を可能にし、開口部から離れるダイの移動を実質的に防止できることだけである。例えば、ラチェット機構は、本体の一部を形成するヒンジ部材を含んでいてもよい。ダイがヒンジ部材の隣で開口部に向かう方向に移動する場合、ヒンジ部材はダイの邪魔にならないように移動し、ダイが通過できるようにする。逆に、ダイがヒンジ部材の隣で開口部から離れる方向に移動する場合、ヒンジ部材はダイに当接し、ダイの通過を防止する。
【００６９】
最後に、本発明によるカートリッジは、第１のカートリッジ部分３０を第２のカートリッジ部分３２から分離するためにユーザがカートリッジに力を加えると優先的に分離する、脆弱部を含んでいてもよい。いったんこれが起こると、本体と係合部（第１の部分３０と第２の部分３２）を再接合することは不可能である。これは、カートリッジのキャビティに元々装填されたダイを他のタイプのダイと交換するために、カートリッジを破壊して開けないことを保証する、という別のセキュリティ機能を提供する。上述したように、このことは、所望のタイプのダイだけを締結装置に供給することが不可欠であるカートリッジの用途において重要であり得る。
【００７０】
特許請求の範囲に記載される本発明によるカートリッジを依然として残しながら、該カートリッジに対する多くの修正が可能であることが理解されよう。
【００７１】
一例では、カートリッジ内に含まれるダイが円形断面を有し、本体（およびキャビティ）の壁の内面も対応する円形断面を有するが、別の実施形態では、ダイの断面および本体（したがってキャビティ）の断面は、任意の適切な形状を有し得る。
【００７２】
さらに、カートリッジが識別部分を含み得ることが想定される。識別部分は、例えば、カートリッジの識別し、および／またはカートリッジに含まれるダイに関する情報などの、任意の適切な情報を含み得る。識別部分は、視覚情報または機械可読情報を含み得る。
【図１】
2020523202.tif 000003
【図２】
2020523202.tif 000004
【図３】
2020523202.tif 000005
【図３ａ】
2020523202.tif 000006
【図３ｂ】
2020523202.tif 000007
【図４】
2020523202.tif 000008
【図５】
2020523202.tif 000009
【図６】
2020523202.tif 000010
【国際調査報告】
2020523202.tif 000011
2020523202.tif 000012
2020523202.tif 000013